(57)【要約】【目的】本発明は、通信回線を介して端末装置と上位装置とを接続したデータ通信システムにおいて、通信制御装置と時分割多重化装置との間に設けられ、時分割多重化装置からの複数のデータ信号に従属同期する回線制御装置が、時分割多重化装置に接続される下位装置の障害によるデータ信号に異常が発生した場合に、回線制御装置の動作に影響を与えることなく、信頼の高い通信システムを提供する。【構成】本発明は、回線制御装置１は、ＴＤＭインターフェース部１０にクロック異常検出部２０を備える。クロック異常検出部２０は、時分割多重化装置３からの入力される全てのクロック信号（回線１〜ｎ＿ＣＬＫ）について常時異常がないか監視し、いずれかのクロック信号に異常が検出された場合は、異常があるクロック信号についてクロック同期部３０への出力停止を行う。【選択図】        図２
2004235813.tif 000002
【特許請求の範囲】
【請求項１】
通信回線を介して端末装置と上位装置とを接続したデータ通信システムにおける通信制御装置と時分割多重化装置との間に設けられる同期式の回線制御装置において、
時分割多重化装置装置からの複数のクロック信号を受信する手段と、
前記受信した複数のクロック信号を取込み、時分割多重化装置との動作同期および回線制御装置内部の動作同期を行う１つのクロック信号を合成する手段と、
前記受信した複数のクロック信号が各々正常か異常かを判定する手段と、
前記受信した各々のクロック信号が異常の場合は、異常のクロック信号を取込まないようにする手段とを備える回線制御装置であり、
前記複数のクロック信号の判定には、
前記クロック信号の周波数および位相を検知することを用いるクロック信号判定手段であることを特徴とする回線制御装置。
【請求項２】
有線および無線回線を介したデータ通信システムに接続され、データ通信システムの同期動作に用いられる複数のクロック信号を取込んで動作する同期式の回線制御装置において、
前記クロック信号が各々正常か異常かを判定する手段は、クロック信号の周波数および位相を検知するものであり、
正常か異常かを判定する基準を予め決めておくことにより判定を行うクロック信号判定手段を備えることを特徴とする回線制御装置。
【発明の詳細な説明】
【０００１】
【発明の属する技術分野】
本発明は、通信回線を介して端末装置と上位装置とを接続したデータ通信システムにおいて、上位装置に接続された通信制御装置と通信回線で接続された多重化装置との間に設けられる同期式回線制御装置、およびこの同期式回線制御装置と通信制御装置とからなる通信制御システムに関する。
【０００２】
【従来の技術】
従来の技術を図１、図３および図４を用いて説明する。図１は本システムの全体構成図、図３は従来の回線制御装置の内部構成図、図４は装置間で用いられる同期用クロックを示している。
【０００３】
図１に示すデータ通信システムは、回線制御装置１、通信制御装置２、時分割多重化装置３、基地局装置４、移動局装置５から構成されている。通信制御装置２は、公衆網および構内網とのインタフェース、回線制御装置１の制御等の機能を有する。通信制御装置２はＰＢＸ、ＬＡＮおよび音声系処理装置で構成され、回線制御装置１とＰＢＸの間ではＴＴＣ２Ｍインターフェース、回線制御装置１とＬＡＮの間では１００ＢＡＳＥ−ＴＸインターフェース、回線制御装置１と音声系処理装置との間では４Ｗ／６００Ω平衡のインターフェスで送受が行われる。回線制御装置１は、本データシステムにおいて、無線網および有線網に接続された各機器との接続を制御し、時分割多重化装置３および上位装置となる通信制御装置間の音声／非音声通信を中継交換する。回線制御装置１と時分割多重化装置３の間では、Ｖ．１１インターフェースで送受が行われる。時分割多重化装置３は、複数方路の基地局装置４および回線制御装置１間の音声／非音声通信データの時分割多重化制御を行い、送受信データの直並列／並直列変換などの機能を有する。時分割多重化装置３と基地局装置４の間では、Ｖ．１１インターフェースで送受が行われる。
【０００４】
無線回線制御装置１および基地局装置４は、多重化装置３から出力されるデータ信号に従属同期して動作している。回線制御装置１は多重化装置３とは複数の回線で接続されているが、回線制御装置１では、時分割多重化装置３から回線制御装置１に接続される全ての回線からのクロック信号の積をとることにより信号合成を行い、回線制御装置１および多重化装置３との装置間の動作ついての同期をとっている。しかし従来の方法では、図４に示すように、多重化装置３と回線制御装置１を接続している回線の一部から異常なクロック信号が入力した場合、特に正常なクロック信号より高い周波数のクロック信号が入力された時、回線制御装置１の内部で合成されたクロック信号が異常となり、回線制御装置１の制御部４０が正常に動作できなくなる。
【０００５】
【発明が解決しようとする課題】
このような従来の方式では、一つの回線から異常なクロックが入力された場合、回線制御装置が正常に動作しなくなり、データ通信システム全体が正常に動作しないという問題点があった。
【０００６】
本発明の目的は、複数のクロックに従属同期する回線制御システムにおいて、装置の障害によりクロック信号に異常が発生した場合に、データ通信システム全体の動作に影響を与えない信頼の高いシステムを提供することにある。
【０００７】
【課題を解決するための手段】
通信回線を介して端末装置と上位装置とを接続したデータ通信システムにおける通信制御装置と時分割多重化装置との間に設けられる同期式の回線制御装置において、時分割多重化装置装置からの複数のクロック信号を受信する手段と、前記受信した複数のクロック信号を取込み、時分割多重化装置との動作同期および回線制御装置内部の動作同期を行う１つのクロック信号を合成する手段と、前記受信した複数のクロック信号が各々正常か異常かを判定する手段と、前記受信した各々のクロック信号が異常の場合は、異常のクロック信号を取込まないようにする手段とを備える回線制御装置であり、前記複数のクロック信号の判定には、前記クロック信号の周波数および位相を検知することを用いるクロック信号判定手段であることを特徴とする回線制御装置。
【０００８】
【発明の実施の形態】
次に、本発明について図面を参照して説明する。
【０００９】
図２は本発明の一実施形態に係る回線制御装置１の内部構成を示すブロック図である。
【００１０】
回線制御装置１は、通信制御装置２および時分割多重化装置３と複数の回線で接続される。回線制御装置１は、ＴＤＭインターフェース部１０、クロック異常検出部２０、周波数検出回路２２、位相検出回路２４、ＯＮ／ＯＦＦ制御回路２６、クロック同期部３０、制御部４０、通信制御装置インターフェース部５０で構成される。
【００１１】
回線制御装置１は、時分割多重化装置３との間で、送信データ（ＳＤ）、受信データ（ＲＤ）、時分割多重化装置３との動作について同期をとるクロック信号（ＣＬＫ）などの信号の送受を、ＴＤＭインターフェース部１０を経由して行う。回線制御装置１は、通信制御装置２とのデータ信号の送受を、通信制御装置インターフェース部５０を経由して行う。
【００１２】
制御部４０は、回線制御装置１の全体の制御を行うともに、時分割多重化装置３および通信制御装置２とやりとりする送受信データの分解、解析、組立てなどの処理を行う。
【００１３】
クロック同期部３０は、時分割多重化装置３に接続される複数の回線から入力するデータ信号のうち、各々のクロック信号（回線１〜ｎ＿ＣＬＫ）の積をとることによりクロック信号（ＣＬＫ０）を合成する。クロック同期部３０は、クロック信号（ＣＬＫ０）に基づいて、受信データ（ＲＤ）のサンプリングなどの回線制御装置１の内部動作、送信データ（ＳＤ）の出力タイミングなどの多重化装置３との装置間動作についての基本タイミングを作成する。
【００１４】
次に、本実施例の動作について説明する。
【００１５】
本実施例の回線制御装置１は、ＴＤＭインターフェース部１０にクロック異常検出部２０を備える。クロック異常検出部２０は、時分割多重化装置３からの入力される全てのクロック信号（回線１〜ｎ＿ＣＬＫ）について常時異常がないか監視し、いずれかのクロック信号に異常が検出された場合は、異常があるクロック信号についてクロック同期部３０への出力停止を行う。
【００１６】
周波数検出回路２２は、クロック信号（回線１〜ｎ＿ＣＬＫ）の周波数の状態を監視する。異常が検出された場合は、ＯＮ／ＯＦＦ制御回路２６にクロック信号に異常がることを知らせる信号を出力する。クロック信号の周波数の正常範囲は、予め所定の範囲値を決めておくことにより、正常もしくは異常の判定を行う。クロック信号の周波数異常検出を行うタイミングついても、予め所定の周期として決めておく。
【００１７】
位相検出回路２４は、クロック信号（回線１〜ｎ＿ＣＬＫ）の位相の状態は、クロック信号のデューティ比を検出することで監視する。異常が検出された場合は、ＯＮ／ＯＦＦ制御回路２６にクロック信号に異常があることを知らせる信号を出力する。クロック信号の位相の正常範囲は、予め所定の範囲値を決めておくことにより、正常もしくは異常の判定を行う。クロック信号の位相異常検出を行うタイミングついても、予め所定の周期として決めておく。
【００１８】
ＯＮ／ＯＦＦ制御回路２６は、周波数検出回路２２または位相検出回路２４からのクロック信号に異常がることを知らせる信号が入力された場合、クロック同期部３０へのクロック信号の出力を停止する。
【００１９】
本実施例のクロック異常検出部２０は、異常を検出した場合に制御部４０へ異常検出信号を出力する機能をもたせることにより、回線制御装置１のアラーム表示も可能になる。
【００２０】
【発明の効果】
以上説明したように本発明は、本発明による無線回線制御装置は、多重化装置の障害による異常クロック信号の入力に対して、無線回線制御装置システム全体の動作に影響を与えることなく動作できるとという効果を有する。
【図面の簡単な説明】
【図１】本発明による無線回線制御装置を含むデータ通信システムの全体構成を示す。
【図２】本発明の一実施形態に係る回線制御装置の内部構成を示す。
【図３】従来の一実施形態に係る回線制御装置の内部構成を示す。
【図４】装置間で用いられる同期用クロックを説明する図を示す。
【符号の説明】
１：回線制御装置、  ２：通信制御装置、  ３：時分割多重化装置、  ４：基地局装置、５：移動局、  １０，６０：ＴＤＭインターフェース部、  ２０：クロック異常検出部、  ２２：周波数検出回路、  ２４：位相検出回路、  ２６：ＯＮ／ＯＦＦ制御回路、  ３０：クロック同期部、  ４０：制御部、  ５０：通信制御部インターフェース部
【図１】
2004235813.tif 000003
【図２】
2004235813.tif 000004
【図３】
2004235813.tif 000005
【図４】
2004235813.tif 000006